(57)【要約】【課題】  筐体とアームレストとの間に詰まった異物を容易に除去できる一方、遊技中においては筐体とアームレストとの間からの物の落下を防止できる遊技機の提供を目的としている。【解決手段】  本発明の遊技機は、遊技に必要な各種装置を組み込んで成る筐体１０と、筐体１０に設けられ、遊技に必要な各種の操作を行なうための操作手段１６を有する操作部１５と、操作部１５に隣接して設けられ、操作部１５を操作する手の腕を載置可能なアームレスト２０と、アームレスト２０が筐体１０側と当接する当接位置と、アームレスト２０が筐体１０側から離間する離間位置との間で、アームレスト２０を筐体１０に対して移動させる移動手段３０，３２とを具備することを特徴とする。【選択図】図２
2005111164.tif 000002
【特許請求の範囲】
【請求項１】
遊技に必要な各種装置を組み込んで成る筐体と、
前記筐体に設けられ、遊技に必要な各種の操作を行なうための操作手段を有する操作部と、
前記操作部に隣接して設けられ、前記操作部を操作する手の腕を載置可能なアームレストと、
前記アームレストが前記操作部と当接する当接位置と、前記アームレストが前記操作部から離間する離間位置との間で、前記アームレストを前記筐体に対して移動させる移動手段と、
を具備することを特徴とする遊技機。
【請求項２】
前記筐体に設けられ、筐体の内部を外部に対して開放する開位置と、筐体の内部を外部に対して閉塞する閉位置との間で開閉するドアと、
前記ドアが前記閉位置にある時に前記筐体に対する前記アームレストの移動を規制するとともに、前記ドアが前記開位置にある時に前記筐体に対する前記アームレストの移動を許容するアームレスト移動規制手段と、
を更に備えていることを特徴とする請求項１に記載の遊技機。
【発明の詳細な説明】
【技術分野】
【０００１】
本発明は、各種の遊技が行なえる遊技機に関する。
【背景技術】
【０００２】
一般に、遊技機には、その遊技の態様、及びそのような遊技を実行する遊技装置を組み込んでいる筐体に関し、様々な形態のものが知られている。例えば、遊技機の一つとして知られているスロットマシンには、特許文献１に開示されているように、着座して遊技するタイプ（スラント型とも称される）のものや、立って遊技するタイプ（アップライト型とも称される）のものが知られている。
【０００３】
このようなスロットマシンは、一般に、それぞれ図柄が描かれた複数の回転リールを横一列に回転可能に配設して成るリールユニットを含む遊技装置と、この遊技装置を内部に組み込んだ筐体とを備えている。また、前記筐体には、前記回転リールを視認できる表示部と、この表示部の手前側（遊技者側）に設置され且つ遊技を行なう上で必要とされる各種の操作ボタンやコイン投入口を有する操作部とが設けられている。そして、特に前記スラント型のスロットマシンにおいては、一般に、遊技者が椅子に座った状態で前記操作部に設けられた各種の操作ボタンを容易に操作できるように腕を載せることができるアームレストが前記操作部の手前側に設置されている。
【特許文献１】特開２００３−６７８１０号公報
【発明の開示】
【発明が解決しようとする課題】
【０００４】
ところで、前記操作部の手前側に設けられる前記アームレストは、一般に、前記筐体側の部材とは別体であり、筐体側（例えば前記操作部）に対して当て付けられた状態で固定されている。そのため、前記アームレストと前記筐体側との間に僅かな段差や隙間が形成されているのが一般的である。
【０００５】
このように、アームレストと筐体側との間に僅かな段差や隙間が形成されていると、この僅かな段差や隙間に物が挟まったりゴミが詰まったりする場合がある。また、そのような場合、僅かな段差や隙間の奥に物やゴミが入り込むと、それを取り除くことが困難になる。
【０００６】
無論、このような問題は、アームレストと筐体側との間に、ゴミや物を簡単に除去できるだけの大きさの隙間、あるいは、ゴミや物がそのまま落下し得るだけの大きさの隙間が初めから存在すれば、解消できる。しかしながら、このように、十分な大きさの隙間がアームレストと筐体側との間に形成されていると、遊技の進行において不可欠なコイン等の遊技媒体も前記隙間から床に落ちてしまうことが考えられ、好ましくない。
【０００７】
本発明は、前記事情に着目してなされたものであり、その目的とするところは、筐体とアームレストとの間に詰まった異物を容易に除去できる一方、遊技中においては筐体とアームレストとの間からの物の落下を防止できる遊技機を提供することにある。
【課題を解決するための手段】
【０００８】
前記課題を解決するために、請求項１に記載された遊技機は、遊技に必要な各種装置を組み込んで成る筐体と、前記筐体に設けられ、遊技に必要な各種の操作を行なうための操作手段を有する操作部と、前記操作部に隣接して設けられ、前記操作部を操作する手の腕を載置可能なアームレストと、前記アームレストが前記操作部と当接する当接位置と、前記アームレストが前記操作部から離間する離間位置との間で、前記アームレストを前記筐体に対して移動させる移動手段とを具備することを特徴とする。
【０００９】
この請求項１に記載された遊技機によれば、前記移動手段により、前記アームレストを、前記操作部と当接する当接位置と、前記操作部から離間する離間位置との間で、前記筐体に対して移動させることができる。そのため、例えば遊技中においては、前記アームレストを前記当接位置に位置させて前記操作部と当接（例えば密着）させることにより、筐体とアームレストとの間からの物（例えば、コイン等の遊技媒体）の落下を防止することができ、一方、前記アームレストと操作部との間に異物が挟まったり詰まったりした場合には、前記アームレストを前記離間位置に位置させて前記操作部から離間させることにより、筐体とアームレストとの間の異物を容易に除去することができる。すなわち、必要に応じて、前記アームレストを前記筐体に対して移動させることにより、前記アームレストと操作部との間に存在する異物の除去、および、前記アームレストと操作部との間からの物の落下防止といった２つの使用形態を選択的に切換えることができる。
【００１０】
なお、前記筐体に対する前記アームレストの移動態様は、連続的であっても、段階的であっても良く、また、直線的、曲線的であっても構わない。例えば、前記アームレストは、前記筐体に対して直線的にスライドすることにより、あるいは、前記筐体に対して回動することにより、前記当接位置と前記離間位置との間で移動しても良い。この場合、前記筐体から離れる前記アームレストの移動量を規制する規制手段を設けても良い。
【００１１】
また、請求項２に記載された遊技機は、請求項１に記載された遊技機において、前記筐体に設けられ、筐体の内部を外部に対して開放する開位置と、筐体の内部を外部に対して閉塞する閉位置との間で開閉するドアと、前記ドアが前記閉位置にある時に前記筐体に対する前記アームレストの移動を規制するとともに、前記ドアが前記開位置にある時に前記筐体に対する前記アームレストの移動を許容するアームレスト移動規制手段とを更に備えていることを特徴とする。
【００１２】
この請求項２に記載された遊技機によれば、請求項１に記載された遊技機と同様の作用効果を得ることができるとともに、ドアが閉じている状態においては、アームレストを移動させることができなくなるため、ドアが閉位置にある遊技中において、遊技者によって不必要にアームレストが移動されるといったことが無くなる。すなわち、遊技中に不用意にアームレストが移動されてアームレストが前記離間位置に位置されてしまうと、筐体とアームレストとの間から物（例えば、コイン等の遊技媒体）が落下してしまう虞があるが、遊技中、すなわち、ドアが閉じた状態の時に、前記アームレスト移動規制手段によりアームレストを移動できないようにすると、遊技中にコイン等の物体が筐体とアームレストとの間から床に落下してしまうといった事態を回避できるとともに、前記アームレストと筐体側との間に異物が挟まったり詰まったりした場合には、ドアを開放する例えばメンテナンス時に遊技者以外の管理者等が異物を除去できるため、遊技機を管理する上で非常に都合が良い。
【００１３】
なお、上記構成では、アームレストが前記当接位置に位置した時にのみアームレスト移動規制手段によるアームレストの移動規制が成されても良く、あるいは、当接位置だけでなく、当接位置以外の任意の位置でもアームレスト移動規制手段によってアームレストの移動規制が行なえるようになっていても良い。
【発明の効果】
【００１４】
本発明の遊技機によれば、筐体とアームレストとの間に詰まった異物を容易に除去できる一方、遊技中においては筐体とアームレストとの間からの物の落下を防止できる。
【発明を実施するための最良の形態】
【００１５】
以下、図面を参照しながら、本発明の一実施形態について具体的に説明する。なお、以下の実施形態では、遊技機として、スラント型のスロットマシンを例示して説明する。
【００１６】
図１は、本実施形態に係るスロットマシンの一例を示した斜視図である。図示のように、本実施形態に係るスロットマシン１は、それぞれ図柄が描かれた複数の回転リール３Ｌ，３Ｃ，３Ｒを横一列に回転可能に配設して成るリールユニットを含む遊技装置と、この遊技装置を内部に組み込んだ筐体１０とを備えている。
【００１７】
筐体１０は、筐体１０に対して開閉可能な開閉扉（ドア）１１を備えている。この開閉扉１１は、例えばヒンジ機構により、筐体１０の内部を外部に対して開放する開位置（図２および図３の（ｂ）の位置）と、筐体１０の内部を外部に対して閉塞する閉位置（図１および図３の（ａ）の位置）との間で側方に回動することができる。特に、本実施形態において、開閉扉１１は、回転リール３Ｌ，３Ｃ，３Ｒが透過して視認できる透過型の液晶表示装置１２と、これを支持する枠体１３とによって構成されている。
【００１８】
この場合、透過型の液晶表示装置１２は、保護ガラス、表示板、液晶パネル、導光板、反射フィルム、蛍光ランプから成り、遊技に応じて各種の動的な演出画像を表示したり、遊技者が遊技を有利に進めるために必要な情報の表示等を行なうことができる。また、枠体１３は、液晶パネル駆動用のＩＣを搭載したテーブルキャリアパッケージ（ＴＣＰ）等から成る。なお、開閉扉１１は、着座した状態で回転リール３Ｌ，３Ｃ，３Ｒが視認し易いように、その閉位置において、  水平方向に対して後方側が上昇するように傾斜している。
【００１９】
また、筐体１０は、開閉扉１１の手前側（遊技者側）下方に、開閉扉１１よりも緩やかな傾斜面を有する台座部（操作部）１５を備えている。この台座部１５には、遊技を行なう上で必要とされる各種の操作手段としての遊技ボタン１６（ＢＥＴボタン、リール回転ボタン、リール停止ボタン等）や、コインを投入する投入口１７等が形成されている。
【００２０】
台座部１５の手前側には、これに隣接して、略水平面を有するアームレスト２０が設けられている。このアームレスト２０により、遊技者は、図示しない椅子に座った状態で、自分の腕をアームレスト２０に載せて、台座部１５に設けられた各種の遊技ボタン１６を疲れることなく容易に操作できる。
【００２１】
また、筐体１０は、開閉扉１１の後方側に、垂直状態に配置される正面パネル部２１を備えており、ここには、例えば、入賞図柄の組み合せや配当等を表示する配当表２２や、遊技中に遊技の興趣を増大するため、演出用の効果音を発音するスピーカ２５Ｌ，２５Ｒ等が設けられている。
【００２２】
また、本実施形態において、スロットマシン１は、アームレスト２０を筐体１０に対して移動させる移動手段を備えている。具体的に、この移動手段は、図２および図３に示されるように、アームレスト２０の端面から延び且つ台座部１５内へと延びる一対のシャフト３０と、台座部１５内に設けられ且つ各シャフト３０をスライド自在に支持して案内する管状のガイドサポート３２とを有している。したがって、アームレスト２０は、ガイドサポート３２内に挿通されて支持されるシャフト３０をガイドサポート３２に対してスライドさせることにより、筐体１０側（本実施形態では、台座部１５）に当接する当接位置（図２の（ａ）および図３の（ａ）の位置）と、筐体側（本実施形態では、台座部１５）から離間する離間位置（図２の（ｂ）および図３の（ｂ）の位置）との間で、筐体１０に対して連続的に且つ直線的に移動することができる。
【００２３】
なお、筐体１０から離れるアームレスト２０の移動量を規制するため、シャフト３０の端部には、ガイドサポート３２の端面に当て付くフランジ３０ａが設けられている。すなわち、本実施形態では、アームレスト２０が所定量だけ筐体１０から離れた図２の（ｂ）および図３の（ｂ）の状態で、シャフト３０のフランジ３０ａがガイドサポート３２の端面に当て付くことにより、筐体１０から離れるアームレスト２０のそれ以上の移動が規制されるようになっている。
【００２４】
また、本実施形態のスロットマシン１は、開閉扉１１が前記閉位置にある時に筐体１０に対するアームレスト２０の移動を規制するとともに、開閉扉１１が前記開位置にある時に筐体１０に対するアームレスト２０の移動を許容するアームレスト移動規制手段を備えている。具体的に、このアームレスト移動規制手段は、図２および図３に示されるように、開閉扉１１の例えば外周下縁部に突出して形成された一対の係止部４０と、各シャフト３０に形成され且つ対応する係止部４０が係脱可能に係止する係止溝３０ｂとから成る。この場合、一対の係止部４０は、シャフト３０同士の離間距離に相当する距離だけ、開閉扉１１の長手方向で互いに離間している。また、係止溝３０ｂは、アームレスト２０が前記当接位置に配置された時にだけ、前記閉位置に位置された開閉扉１１の係止部４０と係止するように、フランジ３０ａに近いシャフト３０の端部に例えば楔状に形成されている。
【００２５】
このような構成では、アームレスト２０を前記当接位置に位置させた状態で、開閉扉１１を閉じる（図３の（ａ）の状態）と、各シャフト３０の係止溝３０ｂに開閉扉１１の係止部４０が係止し、シャフト３０をガイドサポート３２に対してスライドさせることができなくなる。すなわち、筐体１０に対してアームレスト２０を移動させることができず、アームレスト２０を筐体（台座部１５）に当接させた状態に維持することができる。一方、この状態から開閉扉１１を開放すると、係止溝３０ｂと係止部４０との係止状態が解除されるため、シャフト３０をガイドサポート３２に対して自由にスライドさせることができ、したがって、アームレスト２０を筐体１０から離れるように移動させることができる（図３の（ｂ）の状態）。なお、この場合、前述したように、シャフト３０のフランジ３０ａがガイドサポート３２の端面に当て付くと、筐体１０から離れるアームレスト２０のそれ以上の移動が規制される。
【００２６】
以上説明したように、本実施形態のスロットマシン１は、アームレスト２０が筐体１０側と当接する当接位置と、アームレスト２０が筐体１０側から離間する離間位置との間で、アームレスト２０を筐体１０に対して移動させる移動手段３０，３２を備えている。そのため、例えば遊技中においては、アームレスト２０を前記当接位置に位置させて筐体１０側と当接（例えば密着）させることにより、筐体１０とアームレスト２０との間からの物（例えば、コイン等の遊技媒体）の落下を防止することができ、一方、アームレスト２０と筐体１０側との間に異物が挟まったり詰まったりした場合には、アームレスト２０を前記離間位置に位置させて筐体１０側から離間させることにより、筐体１０とアームレスト２０との間の異物を容易に除去することができる。すなわち、必要に応じて、アームレスト２０を筐体１０に対して移動させることにより、アームレスト２０と筐体１０側との間に存在する異物の除去、および、アームレスト２０と筐体１０側との間からの物の落下防止といった２つの使用形態を選択的に切換えることができる。
【００２７】
また、本実施形態のスロットマシン１は、開閉扉１１が前記閉位置にある時に筐体１０に対するアームレスト２０の移動を規制するとともに、開閉扉１１が前記開位置にある時に筐体１０に対するアームレスト２０の移動を許容するアームレスト移動規制手段３０ｂ、４０を備えている。したがって、開閉扉１１が閉じている状態においては、アームレスト２０を移動させることができなくなるため、開閉扉１１が閉位置にある遊技中において、遊技者によって不必要にアームレスト２０が移動されるといったことが無くなる。すなわち、遊技中に不用意にアームレスト２０が移動されてアームレスト２０が前記離間位置に位置されてしまうと、筐体１０とアームレスト２０との間から物（例えば、コイン等の遊技媒体）が落下してしまう虞があるが、遊技中、すなわち、開閉扉１１が閉じた状態の時に、アームレスト移動規制手段３０ｂ、４０によりアームレスト２０を移動できないようにすると、遊技中にコイン等の物体が筐体１０とアームレスト２０との間から床に落下してしまうといった事態を回避できるとともに、アームレスト２０と筐体１０側との間に異物が挟まったり詰まったりした場合には、開閉扉１１を開放する例えばメンテナンス時に遊技者以外の管理者等が異物を除去できるため、遊技機を管理する上で非常に都合が良くなる。
【００２８】
なお、本発明は、前述した実施形態に限定されることなく、その要旨を逸脱しない範囲で、種々変形して実施できることは言うまでもない。例えば、前述した実施形態では、アームレスト２０が前記当接位置に位置した時にのみアームレスト移動規制手段３０ｂ，４０によるアームレスト２０の移動規制が成されるが、前記当接位置だけでなく、当接位置以外の任意の位置でもアームレスト移動規制手段３０ｂ，４０によってアームレスト２０の移動規制が行なえるようになっていても良い。具体的に、これは、例えば、シャフト３０の長手方向に沿って複数の係止溝３０ｂを設けることにより実現できる。
【００２９】
また、前述した実施形態では、アームレスト２０が筐体１０に対して連続的且つ直線的に移動できるようになっているが、筐体１０に対するアームレスト２０の移動は、段階的であっても良い。これは、例えば筐体１０側（例えば台座部１５）とアームレスト２０とをラッチ機構等によって連結することにより実現することができる。また、アームレスト２０は、筐体１０に対して回動することにより、前記当接位置と前記離間位置との間で移動しても良い。これは、例えば、筐体１０側とアームレスト２０とをヒンジ結合することにより実現することができる。
【００３０】
また、前述した実施形態において、前記アームレスト移動規制手段は、開閉扉１１を介してアームレスト２０の移動を規制するが、例えば管理者のみが使用するキー等のセキュリティ手段によってアームレスト２０の移動が規制されても構わない。
【産業上の利用可能性】
【００３１】
本発明は、前述した実施形態で説明したようなスロットマシンの他、パチンコ機等、アームレストを有する様々な遊技機に適用することが可能である。
【図面の簡単な説明】
【００３２】
【図１】本発明の一実施形態に係る遊技機としてのスロットマシンの斜視図である。
【図２】（ａ）は、図１のスロットマシンの開閉扉が開位置に配置され且つアームレストが当接位置に配置された状態を示す概略斜視図、（ｂ）は、図１のスロットマシンの開閉扉が開位置に配置され且つアームレストが離間位置に配置された状態を示す概略斜視図である。
【図３】（ａ）は、図１のスロットマシンの開閉扉が閉位置に配置され且つアームレストが当接位置に配置された状態を示す概略側面図、（ｂ）は、図１のスロットマシンの開閉扉が開位置に配置され且つアームレストが離間位置に配置された状態を示す概略側面図である。
【符号の説明】
【００３３】
１    スロットマシン
１０    筐体
１１    開閉扉（ドア）
１５    台座部（操作部）
１６    遊技ボタン（操作手段）
２０    アームレスト
３０    シャフト（移動手段）
３０ｂ    係止溝（アームレスト移動規制手段）
３２    ガイドサポート（移動手段）
４０    係止部（アームレスト移動規制手段）
【図１】
2005111164.tif 000003
【図２】
2005111164.tif 000004
【図３】
2005111164.tif 000005